(57)【要約】【課題】素子ユニットのリード線端子がケースの保持部により良好に保持され得るコンデンサを提供する。【解決手段】ケース３００は、リード線端子２００を保持する２つの保持部３０８の間隔が２つの半田１２０の部分での素子ユニット５００の寸法よりも小さく、前内壁面３０２ａと保持部３０８の間隔Ｃ２が長手方向におけるコンデンサ素子１００の端から半田１２０の端までの寸法Ｌ２よりも小さい。素子ユニット５００は、短手方向におけるコンデンサ素子１００のリード線端子２００が延び出す側の端から半田１２０の端までの寸法Ｌ３が、傾けた素子ユニット５００を前内壁面３０２ａと保持部３０８との間からケース３００内に挿入し、リード線端子２００がケース３００の上端に接触するまでの間に素子ユニット５００の傾きを戻したときに、半田１２０が保持部３０８に接触することなく保持部３０８よりもケース３００の内部側に移動できる寸法とされる。【選択図】図４
2020113663.tif 000002
【特許請求の範囲】
【請求項１】
両端面に電極を有するコンデンサ素子と、各前記電極に接続されるリード線端子と、を含む素子ユニットと、
前記素子ユニットが収容されるケースと、を備え、
前記コンデンサ素子における端面に沿う方向の寸法は、前記電極から前記リード線端子が延び出す第１方向の寸法が当第１方向と直交する第２方向の寸法よりも小さくされ、
各前記リード線端子は、前記コンデンサ素子の端面の前記第２方向における中央部に、半田により固定され、
前記素子ユニットは、前記第１方向が前記ケースの開口方向となるように前記ケース内に収容され、
前記ケースは、前記コンデンサ素子の両端面と対面する一対の第１内側面と、当該一対の第１内側面と直交する一対の第２内側面とを含み、
各前記第１内側面には、前記一対の第２内側面の並び方向における中央に、その第１内側面が対面する前記コンデンサ素子の端面に向かって突出し、前記並び方向の前記リード線端子の動きが規制されるように前記リード線端子を保持する保持部が設けられ、
前記ケースは、
２つの前記保持部の間隔が、前記コンデンサ素子の両端面の並び方向における２つの前記半田の部分での前記素子ユニットの寸法よりも小さくされ、
前記第２内側面と前記保持部との間隔が、前記第２方向における前記コンデンサ素子の端から当該端から遠い側の前記半田の端までの寸法よりも小さくされ、
前記素子ユニットは、
前記第１方向における前記コンデンサ素子の前記リード線端子が延び出す側の端から当該端から遠い側の前記半田の端までの寸法が、前記リード線端子が前記第２内側面側に倒れるように傾けた素子ユニットを、前記第２内側面と前記保持部との間から前記ケース内に挿入し、前記リード線端子が前記ケースの上端に接触するまでの間に前記素子ユニットの傾きを戻したときに、前記半田が前記保持部に接触することなく前記保持部よりも前記ケースの内部側に移動できる寸法とされる、
ことを特徴とするコンデンサ。
【請求項２】
請求項１に記載のコンデンサにおいて、
前記保持部には、その先端部に、前記リード線端子が、当該リード線端子の径方向に半分より多く嵌り込むことが可能な溝部が設けられる、
ことを特徴とするコンデンサ。
【発明の詳細な説明】
【技術分野】
【０００１】
本発明は、コンデンサに関する。
【背景技術】
【０００２】
コンデンサ素子の一対の側面（両端面）に設けられた集合電極に金属製単線からなる導電線（リード線端子）が半田により接続され、導電線が接続されたコンデンサ素子が、上面が開口するケースに収容されるフィルムコンデンサにおいて、ケースの対面し合う２つの内壁面に凸部が設けられるとともに各導電線に突起部が設けられ、突起部の上部が凸部の下面に当接するような構成が、特許文献１に記載されている。
【０００３】
特許文献１のフィルムコンデンサでは、突起部を凸部に当接させるため、２つの突起部の間隔が２つの凸部の間隔よりも広くなるよう、２つの導電線が外方向に曲げられる。よって、導電線が曲げられる前の状態では、２つの凸部の間隔が２つの突起部の間隔より広くなっており、さらには、２つの凸部の間隔が、２つの導電線を接続する２つの半田の部分でのコンデンサ素子の幅よりも広くなっている（特許文献１の図１参照）。
【０００４】
ケースの凸部には、先端に溝部を設けることができる。この場合、導電線の一部が溝部に収納される（特許文献１の図４参照）。これにより、ケースにおける凸部が設けられていない一対の内壁面の方向に動かないように、導電線が凸部に保持される。
【先行技術文献】
【特許文献】
【０００５】
【特許文献１】特開２００８−２０５０７４号公報
【発明の概要】
【発明が解決しようとする課題】
【０００６】
上記のフィルムコンデンサでは、２つの凸部が、真っ直ぐな状態の２つの導電線および２つの半田の外方に位置するため、前述のように、コンデンサ素子がケースに収容された後に導電線が曲げられなければならず、その際、半田による導電線の接続部分に応力負荷が掛かってしまうことが懸念される。また、コンデンサ素子の両端面と凸部が設けられた内壁面との隙間が大きくなるので、ケースが大きくなってしまうことが懸念される。
【０００７】
かかる課題に鑑み、本発明は、コンデンサ素子の電極に接続されたリード線端子がケースに設けられた保持部により良好に保持され得るコンデンサを提供することを目的とする。
【課題を解決するための手段】
【０００８】
本発明の主たる態様に係るコンデンサは、両端面に電極を有するコンデンサ素子と、各前記電極に接続されるリード線端子と、を含む素子ユニットと、前記素子ユニットが収容されるケースと、を備える。ここで、前記コンデンサ素子における端面に沿う方向の寸法は、前記電極から前記リード線端子が延び出す第１方向の寸法が当第１方向と直交する第２方向の寸法よりも小さくされる。各前記リード線端子は、前記コンデンサ素子の端面の前記第２方向における中央部に、半田により固定される。前記素子ユニットは、前記第１方向が前記ケースの開口方向となるように前記ケース内に収容される。前記ケースは、前記コンデンサ素子の両端面と対面する一対の第１内側面と、当該一対の第１内側面と直交する一対の第２内側面とを含み、各前記第１内側面には、前記一対の第２内側面の並び方向における中央に、その第１内側面が対面する前記コンデンサ素子の端面に向かって突出し、前記並び方向の前記リード線端子の動きが規制されるように前記リード線端子を保持する保持部が設けられる。さらに、前記ケースは、２つの前記保持部の間隔が、前記コンデンサ素子の両端面の並び方向における２つの前記半田の部分での前記素子ユニットの寸法よりも小さくされ、前記第２内側面と前記保持部との間隔が、前記第２方向における前記コンデンサ素子の端から当該端から遠い側の前記半田の端までの寸法よりも小さくされる。そして、前記素子ユニットは、前記第１方向における前記コンデンサ素子の前記リード線端子が延び出す側の端から当該端から遠い側の前記半田の端までの寸法が、前記リード線端子が前記第２内側面側に倒れるように傾けた素子ユニットを、前記第２内側面と前記保持部との間から前記ケース内に挿入し、前記リード線端子が前記ケースの上端に接触するまでの間に前記素子ユニットの傾きを戻したときに、前記半田が前記保持部に接触することなく前記保持部よりも前記ケースの内部側に移動できる寸法とされる。
【発明の効果】
【０００９】
本発明によれば、コンデンサ素子の電極に接続されたリード線端子がケースに設けられた保持部により良好に保持され得るコンデンサを提供できる。
【００１０】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１１】
【図１】図１は、実施の形態に係る、ケースの開口面が上に向けられた状態のフィルムコンデンサの斜視図である。
【図２】図２は、実施の形態に係る、フィルムコンデンサの分解斜視図である。
【図３】図３（ａ）は、実施の形態に係る、素子ユニットの底面図であり、図３（ｂ）は、実施の形態に係る、ケースの底面図である。
【図４】図４（ａ）は、実施の形態に係る、図３（ｂ）のＡ−Ａ´断面図であり、図４（ｂ）は、実施の形態に係る、素子ユニットが、ケース内に収容されているときの姿勢のままではケース内に挿入できないことを示す図である。
【図５】図５は、実施の形態に係る、素子ユニットをケース内に挿入するときの手順について説明するための図である。
【図６】図６（ａ）および（ｂ）は、変更例に係る、フィルムコンデンサの構成について説明するための図である。
【発明を実施するための形態】
【００１２】
以下、本発明のコンデンサの一実施形態であるフィルムコンデンサ１について図を参照して説明する。便宜上、各図には、適宜、前後、左右および上下の方向が付記されている。なお、図示の方向は、あくまでフィルムコンデンサ１の相対的な方向を示すものであり、絶対的な方向を示すものではない。また、説明の便宜上、「天面部」、「前側面部」など、一部の構成において、図示の方向に従った名称がつけられる場合がある。
【００１３】
本実施の形態において、フィルムコンデンサ１が、特許請求の範囲に記載の「コンデンサ」に対応する。また、端面電極１１０が、特許請求の範囲に記載の「電極」に対応する。さらに、左内壁面３０４ａおよび右内壁面３０５ａが、特許請求の範囲に記載の「一対の第１内側面」に対応する。さらに、前内壁面３０２ａおよび後内壁面３０３ａが、特許請求の範囲に記載の「一対の第２内側面」に対応する。
【００１４】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１５】
図１は、ケース３００の開口面が上に向けられた状態のフィルムコンデンサ１の斜視図である。図２は、フィルムコンデンサ１の分解斜視図である。図３（ａ）は、素子ユニット５００の底面図であり、図３（ｂ）は、ケース３００の底面図である。図４（ａ）は、図３（ｂ）のＡ−Ａ´断面図であり、図４（ｂ）は、素子ユニット５００が、ケース３００内に収容されているときの姿勢のままではケース３００内に挿入できないことを示す図である。なお、図１では、充填樹脂４００の一部が斜線で描かれており、残りの部分が透明に描かれている。また、図４（ｂ）では、便宜上、素子ユニット５００が透明な状態に描かれている。
【００１６】
フィルムコンデンサ１は、コンデンサ素子１００と、一対のリード線端子２００と、ケース３００と、充填樹脂４００と、を備える。一対のリード線端子２００がコンデンサ素子１００に接続されることにより、素子ユニット５００が構成される。素子ユニット５００が収容されたケース３００内に充填樹脂４００が充填され、コンデンサ素子１００と一対のリード線端子２００の一部とが充填樹脂４００により覆われる。一対のリード線端子２００の先端部が、充填樹脂４００から露出し、ケース３００の下方に延びる。
【００１７】
本実施の形態のフィルムコンデンサ１は、プリント基板等の実装面に実装が可能であり、たとえば、自動車等の車両の電装部品の一つとして用いられ得る。フィルムコンデンサ１が実装面に実装される際には、一対のリード線端子２００の先端部が、実装面に設けられたランドの貫通孔に挿入され、半田によりランドと接続固定される。
【００１８】
以下、フィルムコンデンサ１の詳細な構成について説明する。
【００１９】
コンデンサ素子１００は、誘電体フィルム上にアルミニウムを蒸着させた２枚の金属化フィルムを重ね、重ねた金属化フィルムを巻回または積層し、扁平状に押圧することにより形成される。コンデンサ素子１００は、ほぼ長円柱形状を有し、左右２つの長円形の端面１０１と、２つの端面１０１を繋ぐ周面１０２とを含む。周面１０２は、上下一対の平坦面１０２ａと前後一対の円弧面１０２ｂとで構成される。コンデンサ素子１００は、平坦面１０２ａの並び方向、即ち、上下方向の寸法が、当該方向に直交する円弧面１０２ｂの並び方向、即ち前後方向の寸法よりも小さい。コンデンサ素子１００の両側の端面１０１には、亜鉛等の金属の吹付けにより端面電極１１０が形成される。なお、平坦面１０２ａの並び方向が、特許請求の範囲に記載の第１方向に対応し、円弧面１０２ｂの並び方向が、特許請求の範囲に記載の第２方向に対応する。以下、平坦面１０２ａの並び方向を短手方向と称し、円弧面１０２ｂの並び方向を長手方向と称する。
【００２０】
一対のリード線端子２００は、丸棒状を有し、銅などの導電性に優れる心材を錫などのメッキ材で被覆することにより形成される。一対のリード線端子２００の上端部が、コンデンサ素子１００の両側の端面１０１、即ち両側の端面電極１１０に半田１２０によって接続固定される。これにより、一対のリード線端子２００がコンデンサ素子１００の両側の端面電極１１０と電気的に接続される。このとき、リード線端子２００の端面電極１１０への接続位置は、コンデンサ素子１００の端面１０１の中心部、即ち、短手方向における中央部且つ長手方向における中央部とされ、その接続位置からリード線端子２００が下方へと真っ直ぐに延び出す。半田１２０は、リード線端子２００の上端部を覆い、コンデンサ素子１００の端面１０１の正面方向から見たときにほぼ円形を有し、端面電極１１０からリード線端子２００の外径（直径）よりも僅かに高い位置まで盛り上げられる。
【００２１】
ケース３００は、樹脂製であり、たとえば、ポリフェニレンサルファイド（ＰＰＳ）により形成される。ケース３００は、ほぼ直方体の箱状に形成され、天面部３０１と、前側面部３０２と、後側面部３０３と、左側面部３０４と、右側面部３０５とを含み、底面が開口する。ケース３００は各角部が曲面形状を有し、特に、天面部３０１と前側面部３０２との角部および天面部３０１と後側面部３０３との角部は、その他の角部よりも大きな曲面形状を有する。
【００２２】
左側面部３０４の内壁面３０４ａと右側面部３０５の内壁面３０５ａは、素子ユニット５００がケース３００内の収容されたとき、コンデンサ素子１００の両側の端面１０１と対面する。前側面部３０２の内壁面３０２ａおよび後側面部３０３の内壁面３０３ａは、左側面部３０４の内壁面３０４ａおよび右側面部３０５の内壁面３０５ａと直交する。以下、４つの内壁面３０２ａ、３０３ａ、３０４ａ、３０５ａを、それぞれ、前内壁面３０２ａ、後内壁面３０３ａ、左内壁面３０４ａおよび右内壁面３０５ａと称する。
【００２３】
前側面部３０２と後側面部３０３の下面には、左右の２か所に直方体形状の脚３０６が形成される。フィルムコンデンサ１がプリント基板等の実装面に実装されたとき、４つの脚３０６が実装面に接触する。また、天面部３０１には、内壁面３０１ａの前後の２か所に、左右方向に延びるリブ３０７が形成される。これらリブ３０７により、素子ユニット５００がケース３００内に収容されたとき、コンデンサ素子１００の周面１０２と天面部３０１の間に充填樹脂４００が入り込む隙間が生じる。
【００２４】
左内壁面３０４ａと右内壁面３０５ａには、前後方向、即ち、前内壁面３０２ａと後内壁面３０３ａの並び方向における中央部であって、上端部、即ちケース３００の開口面よりやや低い位置に、ケース３００の内側に突出するように保持部３０８が設けられる。保持部３０８には、その先端部に、リード線端子２００の断面形状に対応するようＵ形状を有する溝部３０９が設けられる。溝部３０９は、リード線端子２００の直径とほぼ同じ幅を有するとともに、リード線端子２００の半径より大きな深さを有する。
【００２５】
ケース３００は、２つの保持部３０８の間隔Ｃ１（図３（ｂ）参照）が、コンデンサ素子１００の両側の端面１０１の並び方向（左右方向）における２つの半田１２０の部分での素子ユニット５００の寸法Ｌ１（図３（ａ）参照）よりも小さくなっている。よって、素子ユニット５００が、ケース３００内において、左内壁面３０４ａと右内壁面３０５ａの並び方向（左右方向）の中央に配されると、ケース３００の開口方向から見たときに、保持部３０８の先端部が半田１２０およびリード線端子２００と重なり、溝部３０９の位置がリード線端子２００の位置とほぼ整合する。
【００２６】
フィルムコンデンサ１が組み立てられる際には、素子ユニット５００とケース３００とが上下逆さまにされ、素子ユニット５００が、ケース３００の底面の開口３００ａを通じてケース３００内に収容される。
【００２７】
素子ユニット５００は、リード線端子２００が延び出す方向がケース３００の開口方向となるようにケース３００内に収容されるが、この姿勢のままでは、ケース３００内へ挿入することができない。前述のように、２つの保持部３０８の間隔Ｃ１（図３（ｂ）参照）が、２つの半田１２０の部分での素子ユニット５００の寸法Ｌ１（図３（ａ）参照）よりも小さく、半田１２０の部分が保持部３０８にぶつかってしまうためである。
【００２８】
また、図４（ｂ）に示すように、ケース３００は、前内壁面３０２ａ（後内壁面３０３ａ）と保持部３０８との間隔Ｃ２が、長手方向におけるコンデンサ素子１００の端からその端から遠い側の半田１２０の端までの寸法Ｌ２よりも小さい。このため、図４（ｂ）のように、素子ユニット５００が前内壁面３０２ａ側に寄せられても、半田１２０の部分が保持部３０８にぶつかってしまうため、ケース３００内に収容されているときの姿勢では、素子ユニット５００をケース３００内へ挿入することができない。
【００２９】
そこで、素子ユニット５００は、以下のようにして、ケース３００内に挿入される。
【００３０】
図５は、素子ユニット５００をケース３００内に挿入するときの手順について説明するための図である。図５では、便宜上、素子ユニット５００が透明な状態に描かれている。なお、ここでは、素子ユニット５００が、前内壁面３０２ａと保持部３０８との間からケース３００内に挿入される例について説明するが、同様な挿入方法により、素子ユニット５００を、後内壁面３０３ａと保持部３０８との間からケース３００内に挿入することもできる。
【００３１】
図５を参照し、まず、図Ａのように、前内壁面３０２ａと後内壁面３０３ａの並び方向（前後方向）におけるコンデンサ素子１００の端からその端から遠い側の半田１２０の端までの寸法Ｌ４が、前内壁面３０２ａと保持部３０８との間隔Ｃ２より小さくなる角度まで、リード線端子２００が前内壁面３０２ａ側に倒れるように、素子ユニット５００が傾けられる。この状態で、素子ユニット５００が、前内壁面３０２ａ側に寄せられ、前内壁面３０２ａと保持部３０８の間からケース３００内に挿入される。図Ｂのように、リード線端子２００がケース３００の上端に接触するまでの間に、半田１２０が保持部３０８よりもケース３００の内部側に移動すると、図Ｃのように、素子ユニット５００の傾きが戻される。その後、素子ユニット５００は、図Ｄのように、ケース３００の天面部３０１の内壁面３０１ａまで移動された後、図Ｅのように、ケース３００の中央へと移動される。素子ユニット５００が中央へ移動する途中、リード線端子２００が保持部３０８の端部に当接する。このとき、リード線端子２００が内側に撓まされることで、保持部３０８の端部を避けることができる。
【００３２】
図Ｅのように、素子ユニット５００がケース３００の中央へ移動すると、リード線端子２００が保持部３０８の溝部３０９に嵌り込む。このとき、リード線端子２００は、当該リード線端子２００の径方向に半分より多く溝部３０９に嵌り込む。リード線端子２００が、前内壁面３０２ａと後内壁面３０３ａの並び方向（前後方向）およびケース３００の外方への動きが規制されるように、保持部３０８に保持され、ケース３００内の適正な位置に位置決めされる。こうして、素子ユニット５００のケース３００内への収容が完了する。
【００３３】
ここで、コンデンサ素子１００の短手方向における寸法が大きくなることにより、短手方向におけるコンデンサ素子１００のリード線端子２００が延び出す側の端から当該端から遠い側の半田１２０の端までの寸法Ｌ３（図４（ｂ）参照）が大きくなるほど、素子ユニット５００を大きく傾ける必要が生じる。そして、上記寸法Ｌ３がさらに大きくなると、リード線端子２００がケース３００の上端に接触する位置で素子ユニット５００の傾きを戻したときに、半田１２０が保持部３０８に当接して引っ掛かり、それ以上、素子ユニット５００をケース３００内に挿入できなくなる。
【００３４】
そこで、本実施の形態では、素子ユニット５００を保持部３０８に邪魔されることなくケース３００内に挿入できるように、素子ユニット５００の上記寸法Ｌ３が、リード線端子２００が前内壁面３０２ａ側に倒れるように傾けた素子ユニット５００を、前内壁面３０２ａと保持部３０８との間からケース３００内に挿入し、リード線端子２００がケース３００の上端に接触するまでの間に素子ユニット５００の傾きを戻したときに、半田１２０が保持部３０８に接触することなく保持部３０８よりもケース３００の内部側、即ち天面部３０１の内壁面３０１ａ側に移動できる寸法とされている。
【００３５】
素子ユニット５００がケース３００内に収容されると、コンデンサ素子１００が収容されたケース３００の内部に充填樹脂４００が充填される。充填樹脂４００は、熱硬化性樹脂、たとえば、エポキシ樹脂であり、液相状態で、保持部３０８よりもやや上の位置までケース３００内に注入される。その後、ケース３００内が加熱されると、ケース３００内の充填樹脂４００が硬化する。コンデンサ素子１００が、ケース３００および充填樹脂４００によって覆われ、湿気や衝撃から保護される。
【００３６】
こうして、図１のように、フィルムコンデンサ１が完成する。
【００３７】
＜実施の形態の効果＞
以上、本実施の形態によれば、以下の効果が奏される。
【００３８】
ケース３００は、２つの保持部３０８の間隔Ｃ１（図３（ｂ）参照）が、コンデンサ素子１００の両側の端面１０１の並び方向（左右方向）における２つの半田１２０の部分での素子ユニット５００の寸法Ｌ１（図３（ａ）参照）よりも小さくされているので、保持部３０８の先端部をリード線端子２００の部分まで内側に張り出させることができる。このため、リード線端子２００を、外方に曲げることなく保持部３０８により保持できる。また、コンデンサ素子１００の両側の端面１０１とケース３００の左内壁面３０４ａおよび右内壁面３０５ａとの間の隙間が大きくなりにくいので、左内壁面３０４ａと右内壁面３０５ａの並び方向にケース３００が大きくなりにくい。
【００３９】
また、ケース３００は、前内壁面３０２ａ（後内壁面３０３ａ）と保持部３０８との間隔Ｃ２が、長手方向におけるコンデンサ素子１００の端から当該端から遠い側の半田１２０の端までの寸法Ｌ２（図４（ｂ）参照）よりも小さいので、前内壁面３０２ａと後内壁面３０３ａの並び方向にケース３００が大きくなりにくい。
【００４０】
さらに、素子ユニット５００は、短手方向におけるコンデンサ素子１００のリード線端子２００が延び出す側の端から当該端から遠い側の半田１２０の端までの寸法Ｌ３（図４（ｂ）参照）が、リード線端子２００が前内壁面３０２ａ側に倒れるように傾けた素子ユニット５００を、前内壁面３０２ａと保持部３０８との間からケース３００内に挿入し、リード線端子２００がケース３００の上端に接触するまでの間に素子ユニット５００の傾きを戻したときに、半田１２０が保持部３０８に接触することなく保持部３０８よりもケース３００の内部側に移動できる寸法とされている。このため、ケース３００が不要に大きくされなくとも、素子ユニット５００を、保持部３０８に邪魔されることなく、ケース３００内に収容することができる。
【００４１】
さらに、リード線端子２００が、当該リード線端子２００の径方向に半分より多く保持部３０８の溝部３０９に嵌り込む。これにより、リード線端子２００が溝部３０９から外れにくくなるので、リード線端子２００を良好に保持部３０８により保持できる。加えて、フィルムコンデンサ１のプリント基板等への実装時に重要となるリード線端子２００同士の間隔の寸法精度の向上と各リード線端子２００の前後方向（前内壁面３０２ａと後内壁面３０３ａの並び方向）の位置ズレの低減を、従来使用していた治工具等なしで実現できる。
【００４２】
以上、本発明の実施の形態について説明したが、本発明は、上記実施の形態に限定されるものではなく、また、本発明の適用例も、上記実施の形態の他に、種々の変更が可能である。
【００４３】
たとえば、図６（ａ）に示すように、フィルムコンデンサ１に、上記実施の形態のコンデンサ素子１００よりもよりも短手方向の寸法および長手方向の寸法が大きなコンデンサ素子１００Ａが用いられてもよい。この場合、素子ユニット５００Ａは、長手方向におけるコンデンサ素子１００の端から当該端から遠い側の半田１２０の端までの寸法Ｌ２が、上記実施の形態の素子ユニット５００の同寸法Ｌ２よりも大きく、短手方向におけるコンデンサ素子１００Ａのリード線端子２００が延び出す側の端から当該端から遠い側の半田１２０の端までの寸法Ｌ３が、上記実施の形態の素子ユニット５００の同寸法Ｌ２よりも大きい。
【００４４】
本変更例の素子ユニット５００Ａが、ケース３００内に収容される場合、図６（ｂ）に示すように、素子ユニット５００Ａは、上記実施の形態の素子ユニット５００がケース３００内に収容される場合と比べて大きく傾けられることになるが、リード線端子２００がケース３００の上端に近接した後に素子ユニット５００の傾きを戻したときに、半田１２０が保持部３０８に接触することなく保持部３０８よりもケース３００の内部側に移動される。よって、本変更例の素子ユニット５００Ａも、上記実施の形態と同様、半田１２０が保持部３０８に引っ掛かってしまうことなく、ケース３００内に収容することができる。
【００４５】
なお、図６（ａ）では、便宜上、充填樹脂４００が透明に描かれており、その表面部分の一部に斜線が入れられている。また、図６（ｂ）では、便宜上、素子ユニット５００Ａが透明に描かれている。
【００４６】
また、上記実施の形態では、コンデンサ素子１００の端面１０１における短手方向の中央部に、リード線端子２００の上端部が半田１２０により接続された。しかしながら、コンデンサ素子１００の端面１０１における短手方向の中央部から一方の平坦面１０２ａ側にずれた位置に、リード線端子２００の上端部が半田１２０により接続されてもよい。
【００４７】
さらに、上記実施の形態では、コンデンサ素子１００は、誘電体フィルム上にアルミニウムを蒸着させた金属化フィルムにより形成されたが、これ以外にも、亜鉛、マグネシウム等の他の金属を蒸着させた金属化フィルムにより形成されてもよい。あるいは、コンデンサ素子１００は、これらの金属のうち、複数の金属を蒸着させた金属化フィルムにより形成されてもよいし、これらの金属どうしの合金を蒸着させた金属化フィルムにより形成されてもよい。また、上記実施の形態では、コンデンサ素子１００は、誘電体フィルム上にアルミニウムを蒸着させた２枚の金属化フィルムを重ね、重ねた金属化フィルムを巻回または積層することで形成されたものであるが、これ以外にも、誘電体フィルムの両面にアルミニウムを蒸着させた金属化フィルムと絶縁フィルムとを重ね、これを巻回または積層することにより、コンデンサ素子１００が形成されてもよい。さらに、３枚以上の金属化フィルムを重ね、これを巻回または積層することにより、コンデンサ素子１００が形成されてもよい。
【００４８】
さらに、上記実施の形態では、本発明のコンデンサの一例として、フィルムコンデンサ１が挙げられた。しかしながら、本発明は、フィルムコンデンサ１以外のコンデンサに適用することもできる。
【００４９】
この他、本発明の実施の形態は、特許請求の範囲に示された技術的思想の範囲内において、適宜、種々の変更が可能である。
【００５０】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【００５１】
本発明は、各種電子機器、電気機器、産業機器、車両の電装等に使用されるコンデンサに有用である。
【符号の説明】
【００５２】
１  フィルムコンデンサ（コンデンサ）
１００  コンデンサ素子
１０１  端面
１１０  端面電極（電極）
１２０  半田
２００  リード線端子
３００  ケース
３０２ａ  前内壁面（第２内側面）
３０３ａ  後内壁面（第２内側面）
３０４ａ  左内壁面（第１内側面）
３０５ａ  右内壁面（第１内側面）
３０８  保持部
３０９  溝部
【図１】
2020113663.tif 000003
【図２】
2020113663.tif 000004
【図３】
2020113663.tif 000005
【図４】
2020113663.tif 000006
【図５】
2020113663.tif 000007
【図６】
2020113663.tif 000008